【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  データを記憶する記憶手段と、
前記記憶手段に記憶されているデータを別の装置へ送信する送信手段と、
前記別の装置から、前記送信したデータの変更情報を受信する受信手段と、
前記変更情報の受信に応じて、前記記憶手段に記憶されている前記送信したデータを前記変更情報に基づき変更する変更手段と、
前記変更手段による変更に応じて、少なくとも前記変更されたデータの変更通知情報を、指定された別の装置に送信する送信手段とを備えた、データ管理装置。
【請求項２】  前記受信手段は、前記別の装置において新規に作成された新規データと、前記新規データの識別情報とを受信する新規データ受信手段を含み、
前記新規データの受信に応じて、前記新規データの識別情報と前記新規データとを関連付けて前記記憶手段に記憶する追加手段をさらに備え、
前記送信手段は、前記追加手段による追加に応じて、少なくとも前記新規データの識別情報を含む追加情報を予め定められた装置に送信する追加情報送信手段を含む、請求項１に記載のデータ管理装置。
【請求項３】  前記変更手段は、前記受信された変更情報に基づいて前記記憶手段に記憶されたデータを変更するか否かを判断する変更判断手段を含み、
前記変更判断手段により変更しないと判断されたときに、前記データを変更しなかった旨を示すエラー情報を、前記別の装置に送信する変更不可通知手段をさらに備えた、請求項１に記載のデータ管理装置。
【請求項４】  前記記憶手段により記憶している前記データを、予め定められた所定のアクセス者にのみ公開を許可するデータ公開制限手段をさらに備えた、請求項１に記載のデータ管理装置。
【請求項５】  前記記憶手段により記憶している前記データ毎に変更を禁止する変更禁止手段をさらに備えた、請求項１に記載のデータ管理装置。
【請求項６】  前記記憶手段は、前記データと電子メールアドレスとを関連付けて記憶する、請求項１に記載のデータ管理装置。
【請求項７】  前記送信手段は、送信する情報を暗号化する暗号化手段を含み、
前記受信手段は、前記暗号化手段により暗号化された情報を復号化する復号化手段を含む、請求項１に記載のデータ管理装置。
【請求項８】  コンピュータに、
データを記憶するステップと、
前記記憶されたデータを別の装置へ送信するステップと、
別の装置から、前記データの変更情報を受信するステップと、
前記変更情報の受信に応じて、前記記憶手段に記憶されているデータを前記変更情報に基づき変更するステップと、
前記変更手段による変更に応じて、少なくとも前記変更されたデータの変更通知情報を指定の装置に送信するステップとを実行させるための、データ管理プログラム。
【手続補正２】
【補正対象書類名】明細書
【補正対象項目名】００１３
【補正方法】変更
【補正の内容】
【００１３】
【課題を解決するための手段】
この発明のある局面によれば、データ管理装置はデータを記憶する記憶手段と、記憶手段に記憶されているデータを別の装置へ送信する送信手段と、別の装置から、送信したデータの変更情報を受信する受信手段と、変更情報の受信に応じて、記憶手段に記憶されている送信したデータを変更情報に基づき変更する変更手段と、変更手段による変更に応じて、少なくとも変更されたデータの変更通知情報を指定された別の装置に送信する送信手段とを備える。
【手続補正３】
【補正対象書類名】明細書
【補正対象項目名】００１４
【補正方法】変更
【補正の内容】
【００１４】
この発明に従えば、記憶されているデータを別の装置へ送信して、別の装置からそのデータの変更情報を受信して、受信した変更情報に基づいて自己の記憶手段内のデータを変更する。別の装置内のデータの変更を容易に自己の記憶手段に反映することが可能なデータ管理装置を提供することができる。また、データ管理装置内のデータを変更した情報を指定された別の装置に送信するので、別の装置の利用者はデータ管理装置内のデータが変更された旨を知ることができる。
【手続補正４】
【補正対象書類名】明細書
【補正対象項目名】００１５
【補正方法】変更
【補正の内容】
【００１５】
好ましくは、受信手段は別の装置において新規に作成された新規データと、新規データの識別情報とを受信する新規データ受信手段を含み、新規データの受信に応じて、新規データの識別情報と新規データとを関連付けて記憶手段に記憶する追加手段をさらに備え、送信手段は、追加手段による追加に応じて、少なくとも新規データの識別情報を含む追加情報を予め定められた装置に送信する送信手段を含む。
【手続補正５】
【補正対象書類名】明細書
【補正対象項目名】００１６
【補正方法】変更
【補正の内容】
【００１６】
この発明に従えば、別の装置において新規に作成された新規データを受信して、受信した情報に基づいて自己の記憶手段に新規データを追加する。またデータ管理装置内に新規データを追加した情報を予め定められた装置に送信する。その結果、予め定められた装置の利用者は新規にデータが追加された旨を知ることができる。
【手続補正６】
【補正対象書類名】明細書
【補正対象項目名】００１７
【補正方法】変更
【補正の内容】
【００１７】
好ましくは、変更手段は受信された変更情報に基づいて記憶手段に記憶されたデータを変更するか否かを判断する変更判断手段を含み、変更判断手段により変更しないと判断されたときに、データを変更しなかった旨を示すエラー情報を、別の装置に送信する変更不可通知手段をさらに備える。
【手続補正７】
【補正対象書類名】明細書
【補正対象項目名】００１８
【補正方法】変更
【補正の内容】
【００１８】
この発明に従えば、変更情報を受信したデータ管理装置がデータを変更しなかったときにエラー情報を別の装置に送信する。その結果、別の装置の利用者はデータ管理装置内のデータが変更されなかったことを知ることが可能となる。
【手続補正８】
【補正対象書類名】明細書
【補正対象項目名】００１９
【補正方法】変更
【補正の内容】
【００１９】
好ましくは、記憶手段により記憶しているデータを、予め定められた所定のアクセス者にのみ公開を許可するデータ公開制限手段をさらに備える。
【手続補正９】
【補正対象書類名】明細書
【補正対象項目名】００２０
【補正方法】変更
【補正の内容】
【００２０】
この発明に従えば、データ管理装置内のデータにアクセス可能なユーザを設定する。その結果、公開しないデータへのアクセスを防止することが可能となる。
【手続補正１０】
【補正対象書類名】明細書
【補正対象項目名】００２２
【補正方法】変更
【補正の内容】
【００２２】
この発明に従えば、データ管理装置内のデータ毎にデータ変更の可否を設定することできる。その結果、変更を禁止されているデータの変更を防止することできる。また誤ったデータの変更を防止することが可能となる。
【手続補正１１】
【補正対象書類名】明細書
【補正対象項目名】００２４
【補正方法】変更
【補正の内容】
【００２４】
この発明に従えば、データ管理装置内のデータ毎に電子メールを送信するメールアドレスを設定する。その結果、データが変更された場合、変更されたデータに関連する利用者などに変更された旨を通知することが可能となる。
【手続補正１２】
【補正対象書類名】明細書
【補正対象項目名】００２６
【補正方法】変更
【補正の内容】
【００２６】
この発明に従えば、送信する情報を暗号化してから送信する。また、暗号化された情報を復号化する。その結果、情報の内容が漏洩、盗聴などされても情報の内容を外部に知られることを防止することが可能となる。
【手続補正１３】
【補正対象書類名】明細書
【補正対象項目名】００２７
【補正方法】変更
【補正の内容】
【００２７】
本発明の他の局面に従うと、データを記憶するステップと、記憶されたデータを別の装置へ送信するステップと、別の装置から、送信したデータの変更情報を受信するステップと、変更情報の受信に応じて、記憶手段に記憶されているデータを変更情報に基づき変更するステップと、変更手段による変更に応じて、少なくとも変更されたデータの変更通知情報を指定の装置に送信するステップとをコンピュータに実行させる。
【手続補正１４】
【補正対象書類名】明細書
【補正対象項目名】００２８
【補正方法】変更
【補正の内容】
【００２８】
この発明に従えば、コンピュータに、記憶されているデータを別の装置へ送信して、別の装置からそのデータの変更情報を受信して、受信した変更情報に基づいて自己の記憶手段内のデータを変更させるためのデータ管理プログラムを提供することができる。また、コンピュータ内のデータを変更した情報を指定の装置に送信するので、指定の装置の利用者はコンピュータ内のデータが変更された旨を知ることができる。